(57)【要約】【課題】  前後関係が存在する設計設備に対して、一部分のみの竣工処理を可能にする。【解決手段】  光ケーブルネットワークにおける工事単位および設計単位での前提となる工事ＩＤおよび設計番号を記憶した前後関係情報ファイルと、工事単位および設計単位での設備ＩＤ、設備区分および竣工フラグを記憶する設計情報ファイルと、工事単位での設備ＩＤおよび設計区分を表示する表示装置と、該表示装置に表示された設備ＩＤの部分竣工指示に対して前提となる工事ＩＤおよび設計番号を前記前後関係情報ファイルから検索し、その検索した工事番号および設計番号により前記設計情報ファイルを参照し、前提となる設備ＩＤの設備の竣工フラグが竣工済みになっているかを判定し、竣工済みになっていた場合には、部分竣工指示を受けた設備ＩＤの設備の竣工フラグを竣工済みに更新する竣工処理手段とを備える。【選択図】  図６
2007188423.tif 000002
【特許請求の範囲】
【請求項１】
光ケーブルネットワークにおける工事単位および設計単位での前提となる工事ＩＤおよび設計番号を記憶した前後関係情報ファイルと、工事単位および設計単位での設備ＩＤ、設備区分および竣工フラグを記憶する設計情報ファイルと、工事単位での設備ＩＤおよび設計区分を表示する表示装置と、該表示装置に表示された設備ＩＤの部分竣工指示に対して前提となる工事ＩＤおよび設計番号を前記前後関係情報ファイルから検索し、その検索した工事番号および設計番号により前記設計情報ファイルを参照し、前提となる設備ＩＤの設備の竣工フラグが竣工済みになっているかを判定し、竣工済みになっていた場合には、部分竣工指示を受けた設備ＩＤの設備の竣工フラグを竣工済みに更新し、竣工済みになっていなかった場合には、前提となる設備の竣工フラグが竣工済みに更新するように指示するメッセージを前記表示装置に表示する竣工処理手段とを備えることを特徴とする光ケーブルネットワーク設備設計管理システム。
【発明の詳細な説明】
【技術分野】
【０００１】
本発明は、光ケーブルネットワーク設備の管理システムに係り、特に、工事設計支援における部分的な設計操作の竣工機能を設けた光ケーブルネットワーク設備設計管理システムに関するものである。
【背景技術】
【０００２】
近年、ＩＴ化が叫ばれるようになり、それに伴って光ネットワークというインフラ整備のニーズが高まり、日々、追加・更新が発生する複雑なネットワークの工事を効率的に行う必要がある。
特に、同一地区に関して複数の工事設計が発生した場合、既に工事設計済みの設備の活用を前提とした工事設計が行われる場合がある。これは工事に必要な設備資産を有効活用するために必須な業務要件である。
尚、本発明に関連する公知技術文献としては以下の特許文献1、２がある。
【特許文献１】特開２００２−１３８６６７号
【特許文献２】特開平６−１４９９１７号
【発明の開示】
【発明が解決しようとする課題】
【０００３】
しかしながら、前提となる工事設計Ａが竣工されない状態で、後工事である工事設計Ｂを竣工（設計完了）としなければならない状態が発生する場合がある。例えば、図１０に示すように、設備１００１〜１００３を光ケーブル１００４、１００５で接続する工事設計Ａに対して、引き込み設備１００６を光ケーブル１００７で工事設計Ａの設備１００１に接続するという後工事設計Ｂを行おうとした場合に、後工事設計Ｂと直接関連する設備１００１の設計は終わっているが、直接に関連しない他の部分（設備１００２〜１００３間の設計）の設計だけが竣工状態となっていない場合に発生する。これは、従来システムが、“設備単位”で竣工、未竣工という状態を管理するのでなく、“工事設計単位”で竣工、未竣工という状態を管理しているためである。
このため、図１０の工事設計Ｂが竣工可能状態になったとしても、工事設計Ａが竣工状態にならなければ、後工事設計である工事設計Ｂを竣工状態にすることができないことになり、サービスの開始が遅れるなどのクリティカルな業務上の問題が発生していた。
【０００４】
本開発の目的は、設備単位での個別竣工を可能にし、設計済み設備の竣工を前提とする後工事設計を速やかに竣工状態にし、サービスの開始時期を早めることができる光ケーブルネットワーク設備設計管理システムを提供することにある。
【課題を解決するための手段】
【０００５】
上記目的を達成するために、本発明は、光ケーブルネットワークにおける工事単位および設計単位での前提となる工事ＩＤおよび設計番号を記憶した前後関係情報ファイルと、工事単位および設計単位での設備ＩＤ、設備区分および竣工フラグを記憶する設計情報ファイルと、工事単位での設備ＩＤおよび設計区分を表示する表示装置と、該表示装置に表示された設備ＩＤの部分竣工指示に対して前提となる工事ＩＤおよび設計番号を前記前後関係情報ファイルから検索し、その検索した工事番号および設計番号により前記設計情報ファイルを参照し、前提となる設備ＩＤの設備の竣工フラグが竣工済みになっているかを判定し、竣工済みになっていた場合には、部分竣工指示を受けた設備ＩＤの設備の竣工フラグを竣工済みに更新し、竣工済みになっていなかった場合には、前提となる設備の竣工フラグが竣工済みに更新するように指示するメッセージを前記表示装置に表示する竣工処理手段とを備えることを特徴とする。
【発明の効果】
【０００６】
本発明の光ケーブルネットワーク設備設計管理システムによれば、他工事の設計との前後関係が存在する場合については前提工事を表示可能とし、部分的な設計操作の竣工を可能とした事により、設計済み設備の竣工を前提とする前工事設計を速やかに竣工状態にし、工事全体の滞留を防ぎ、サービスの開始時期を早めることができる。また、利用者は同一工事における前提設計がどれかを意識する事なく、必要な前提設計設備を把握することが可能となるため、部分竣工作業の大幅な低減が可能である。
【発明を実施するための最良の形態】
【０００７】
以下、本発明を実現する場合の一形態を図面を参照して具体的に説明する。
図１は、本発明に係わる、光ケーブルネットワーク設備設計管理システムの実態の一形態を示すブロック図である。
本実施形態における光ケーブルネットワーク設備設計管理システムは、図１に示すように、キーボードとマウスから成る入力装置１と、光ケーブルネットワーク設備図上に設備シンボルを表示したり、その設備シンボルから属性ファイルを参照したり、属性ファイルで管理する項目を条件に地図を検索したりする中央処理装置２と、光ケーブルネットワークの設備シンボル及び地図シンボルを格納した設備図ファイル３と、設備図ファイル３内の各設備シンボルおよび各設備間のリンク情報などを格納した属性ファイル４と、属性ファイル４の内容および設備図ファイル３を出力する表示装置５とからなっている。
【０００８】
属性ファイル４は、各設備の設備情報を管理する属性情報６と、工事担当局や竣工予定日などを管理する工事情報７と、工事Ｎｏをキーとした各設計情報を管理する設計情報８と、各工事間の前後関係を管理する前後関係情報９を格納している。
【０００９】
図２は、属性情報６の例を示す図であり、最小構成の属性として、ユニークＩＤである設備ＩＤがあり、設備ＩＤ毎に、設計クロージャＡ、設計ケーブルＢなどの設備名称が格納されている。
【００１０】
図３は、工事情報７の例を示す図であり、最小構成の属性として、ユニークＩＤである工事ＩＤがあり、工事ＩＤ毎に、工事を管轄する支店名、工事名称、担当者、竣工予定日が格納されるようになっている。
【００１１】
図４は、設計情報８の例を示す図であり、最小構成の属性として、ユニークＩＤである工事ＩＤ、設計Ｎｏがあり、工事ＩＤ毎に、設備ＩＤ、設計区分、端設備１、端設備２、竣工フラグが格納されるようになっている。
端設備１、２は、設計区分がケーブル以外の場合は設定されない。
【００１２】
図５は、前後関係情報９の例を示す図であり、最小構成の属性として、ユニークＩＤである工事ＩＤ、設計Ｎｏがあり、工事ＩＤ毎に、前提工事ＩＤ、前提設計Ｎｏが格納されるようになっている。
【００１３】
図６は、光ケーブルネットワークの設備シンボルである設計クロージャＡ（１０）、設計クロージャＢ（１１）、設計ケーブルＡ（１２）などを配置した設計設備図１５において、同一工事の部分竣工の方法を説明するための図である。
【００１４】
図７は、光ケーブルネットワークの設備シンボルである引込設備Ａ（１３）、設計ケーブルＢ（１４）などを配置した設計設備図１５において、前提となる設計が他工事の場合の通知方法を説明するための図である。
図１〜図９を用いて、本実施形態における光ケーブルネットワーク設備設計管理装置における部分竣工及び前後関係表示処理について説明する。
部分竣工とは、設計クロージャや光ケーブル、引込設備などの設備単位で竣工することである。
光ケーブルネットワーク上において設計した設備の部分竣工を行う場合、図６に示す部分竣工設備選択画面Ａ（１６）にて追加ボタン１６１を押下し、設備図１５上の対象設備を選択する。
選択した設備が自工事での設計設備の場合、部分竣工設備選択画面Ａ１６に設備情報を表示する。図６では、設備ＩＤ＝Ｃ００２の設計ケーブルＡ（１２）を選択した状態を示している。
自工事において部分竣工する設計設備を全て選択後、部分竣工ボタン１６２を押下する事により、図８のフロ−チャ−トに示す竣工処理２０が中央処理装置２で実行される。
【００１５】
竣工処理２０では、部分竣工設備選択画面Ａ（１６）に表示された設計設備ＩＤのそれぞれに対してステップ８０１の処理を行う。すなわち、部分竣工設備選択画面Ａ（１６）に表示された設備ＩＤを取得し、その設備ＩＤによって設計情報８を検索し、設備ＩＤに対応する工事ＩＤ、設計Ｎｏを取得し（ステップ８０２）、その工事ＩＤ、設計Ｎｏによって前後関係情報９を検索し（ステップ８０３）、設備ＩＤの設計設備の前提となる設計Ｎｏが存在するか判定する（ステップ８０４）。すなわち、自設計設備の前後関係の設計設備が存在するかを判定する。
これにより、例えば、設備ＩＤ＝Ｃ００２の設計ケーブルＡ（１２）については、工事ＩＤ＝Ａ、工事Ｎｏ＝３であることから、前後関係情報９から、前提設計Ｎｏ＝１および２の設計クロージャＡ（１０）、設計クロージャＢ（１１）の新設が前提となる設計であることが検索される。
【００１６】
そこで、存在する場合には、部分竣工設備選択画面Ａ（１６）にその前提となる設計設備の情報が取り込まれているかを判別する（ステップ８０５）。
部分竣工設備選択画面Ａ（１６）に取り込まれていない場合には、前提設備が部分竣工対象となっていないため、「前提設備が存在します」というエラー画面１７を表示し（ステップ８０６）、処理を終了する。
しかし、前提設備が全て存在する場合には、前提設備から順番に竣工処理を行い、設計情報９の竣工フラグを竣工済みに更新する（ステップ８０７）。
【００１７】
前提となる設計設備を自動的に部分竣工設備選択画面Ａ（１６）へ表示させる手段として、設備取込ボタン１６３を押下する事により、図９のフローチャートで示す設備取込処理１９が実行される。
設備取込処理１９では、部分竣工設備選択画面Ａ（１６）に表示された設計設備のそれぞれに対してステップ９０１の処理を行う。
すなわち、部分竣工設備選択画面Ａ（１６）に表示された設備ＩＤを取得し、その設備ＩＤによって設計情報８を検索し、設備ＩＤに対応する工事ＩＤ、設計Ｎｏを取得し（ステップ９０２）、その工事ＩＤ、設計Ｎｏによって前後関係情報９を検索し（ステップ９０３）、設備ＩＤの設計設備の前提となる設計Ｎｏが存在するか判定する（ステップ９０４）。すなわち、自設計設備の前後関係の設計設備が存在するかを判定する。
これにより、例えば、設備ＩＤ＝Ｃ００２の設計ケーブルＡ（１２）については、工事ＩＤ＝Ａ、工事Ｎｏ＝３であることから、前後関係情報９から、前提設計Ｎｏ＝１および２の設計クロージャＡ（１０）、設計クロージャＢ（１１）の新設が前提となる設計であることが検索される。
【００１８】
そこで、存在する場合には、部分竣工設備選択画面Ａ（１６）にその前提となる設計設備の情報が取り込まれているかを判別する（ステップ９０５）。
部分竣工設備選択画面Ａ（１６）に取り込まれていない場合には、前提工事ＩＤと前提設計Ｎｏを前後関係情報９から取得し（ステップ９０６）、その前提工事ＩＤと前提設計Ｎｏにより設備情報８を参照し、前提となる設備ＩＤと設計区分の情報（前提設備情報）を取得し（ステップ９０７）、部分竣工設備選択画面Ｂ（１８）へ追加表示し（ステップ９０８）、処理を終了する。
この部分竣工設備選択画面Ｂ（１８）においては、部分竣工ボタン１８２を押下することにより、各設備の設備単位での部分竣工処理を行うことができる。
【００１９】
図７に示すように、設計クロージャＡ（１０）、設計ケーブルＡ（１２）、設計クロージャＡ（１１）からなる工事Ａに対して、引き込み設備Ｂ（１３）、設計ケーブルＢ（１４）からなる工事Ｂにおける設計ケーブルＢ（１４）を工事Ａの設計クロージャＡ（１１）に接続する工事設計を行う設計図１５において、工事設計Ｂにおける設備ＩＤ＝Ｈ００１の引き込み設備Ｂ（１３）と設備ＩＤ＝Ｃ００３の設計ケーブルＢ（１４）を部分竣工設備選択画面２１の部分竣工ボタン２１１を押下することにより、部分竣工処理を実行させた場合には、設計ケーブルＢ（１４）の前提となる設計（設計クロージャＡ１１）が竣工済みとなっておらず、前提設備が竣工済みになっていないために、「他件前提設備が存在するため竣工できません」というメッセージと、対象設備除法をエラー画面２２に表示する。これにより、必要な前提工事の竣工処理が何かを認識可能となる。
【００２０】
これにより、利用者は同一工事における前提設計がどれかを意識する事なく、必要な前提設計設備を取り込むことが可能となるため、部分竣工作業の大幅な低減が可能である。
他工事の設計との前後関係が存在する場合については前提工事を表示可能とし、部分的な設計操作の竣工を可能とした事により、工事全体の滞留を防ぐ事が可能になる。
【図面の簡単な説明】
【００２１】
【図１】本発明に係わる光ケーブルネットワーク設備設計管理システムの実態の一形態を示すブロック図である。
【図２】光ネットワーク設備の属性情報の例を示す図である。
【図３】光ネットワーク工事設計での工事情報の例を示す図である。
【図４】光ネットワーク工事設計での設計区分毎の設計情報の例を示す図である。
【図５】光ネットワーク工事設計での設計区分毎の前後関係情報の例を示す図である。
【図６】同一工事における前提設計の自動取り込みを説明するための図である。
【図７】前提となる他件工事の設計の参照を説明するため図である。
【図８】部分竣工ボタンの押下により実行される竣工処理を示すフローチャートである。
【図９】設備取り込みボタンの押下によって実行される設備取り込み処理を示すフローチャートである。
【図１０】従来における工事設計での竣工単位を説明する図である。
【符号の説明】
【００２２】
１…入力装置
２…中央処理装置
３…設備図ファイル
４…属性ファイル
５…表示装置
６…属性情報
７…工事情報
８…設計情報
９…前後関係情報
１６…部分竣工設備選択画面Ａ
【図１】
2007188423.tif 000003
【図２】
2007188423.tif 000004
【図３】
2007188423.tif 000005
【図４】
2007188423.tif 000006
【図５】
2007188423.tif 000007
【図６】
2007188423.tif 000008
【図７】
2007188423.tif 000009
【図８】
2007188423.tif 000010
【図９】
2007188423.tif 000011
【図１０】
2007188423.tif 000012